(57)【特許請求の範囲】
【請求項１】
長方形状の平面と、その平面の長手方向に沿う両端から徐々に肉厚となり、前記平面の中心線上において最大厚を形成させる曲面を備えた本体と、この本体の平面に取付けられるＬＥＤプレートと、前記曲面に各通孔が臨む横孔からなる第１の紐通部と、前記横孔の各通孔に一方の各通孔が臨むと共に、他方の各通孔が平面に臨む一対の縦孔からなる第２の紐通部を備えたペンダントライト。
【請求項２】
前記ＬＥＤプレートと前記平面とが略面一となるように、前記平面には前記ＬＥＤプレートを取付けることができる凹部が形成されていることを特徴とする請求項１に記載のペンダントライト。
【請求項３】
少なくとも１つの前記ＬＥＤプレートから１ユニットが構成され、複数のユニットからペンダントライトが構成される場合には、その任意の１ユニット毎に点灯及び消灯可能に制御されることを特徴とする請求項１又は２に記載のペンダントライト。
【請求項４】
前記ＬＥＤプレートは、交流を整流するブリッジ整流回路の配線パターンが形成される基板と、前記配線パターン上に施される補助メッキ及び金メッキを介して電極が接続されると共に、前記配線パターンに、交流電源の極性に対応して点灯可能な範囲の数量で直列に、且つ、交流電源の極性に対応してそれぞれ反転通電されるものを対にして隣接させて、それぞれ接続されるベアチップと、前記電極の接続個所を除き、形成される印刷層と、前記基板の表面に塗布されるコーティング層を備え、前記コーティング層は、対となるベアチップにレンズ状に形成されていることを特徴とする請求項１乃至３の何れかに記載のペンダントライト。
【発明の詳細な説明】
【技術分野】
【０００１】
本願発明は、天井から吊り下げられるペンダントライトに関し、特に光源としてＬＥＤプレート（後述）を用いたペンダントライトに関する。
【背景技術】
【０００２】
本願の出願人は、ＬＥＤプレートを開発及び商品化すると共に、その適用例として各種の照明器具を開発している。
照明器具としての蛍光灯型ＬＥＤ照明器具を開発し商品化するにあたり、従来例を示しつつ、それらの課題を列挙すれば、次の通りである。
【０００３】
特許文献１には、長手方向の中央部に、所定の間隔でＬＥＤ基板を複数取り付けた基板載置部と、一対の中空の補強部と、該補強部の前記基板載置部側にそれぞれ対向し突出して設けられた配線ケーブル保持部とからなる照明器具本体を備えた蛍光灯型ＬＥＤ照明器具が開示されている。
かかる照明器具では、ＬＥＤ素子から発生する熱は、ＬＥＤ基板、基板載置部、補強部などのアルミニウム材を介して、容易に放熱させることができる、とされている（同文献段落００２４）。
しかし、この照明器具にはポリカーボネート製の透明カバー部材が取付けられ、ＬＥＤ基板の上方の空間を密閉していることから（同文献図３）、効率的な放熱が難しいように思われる。
【０００４】
特許文献２には、灯具ボディに光源基板と透光カバーを取り付けた蛍光灯型ＬＥＤ灯具が記載されている。
その透光カバーは光拡散グレード樹脂で成形され、内面に光拡散層が塗装されている（段落００１３）。かかる構成は、「従来のＬＥＤ光源は指向性が強いため、灯具の真下方向への光量は十分であるが、側方域への配光量が不足するという問題点」を解決するものとされ（段落０００４）、その効果は「（ｆ）透光カバー４は、内面に光拡散層８が設けられているので、ＬＥＤパッケージ６の発光を効率よく透過して、ＬＥＤ灯具１の周囲へ均一に拡散できる」（段落００２０）とされている。
しかし、光の拡散を図るための部品を必要としていることから、照明器具の複雑化、コスト高、大型化につながる一方で、ＬＥＤ光源の指向性が強いという特性が生かされていないことにもなる。
【０００５】
特許文献３には、一対のソケット間に装着可能な蛍光灯型ＬＥＤ照明装置であって、その片端が片方のソケットと電気的に接続するプラグからなり有し、その他端が、他方のソケットと機械的に接続するプラグからなる蛍光灯型ＬＥＤ照明装置が記載されている。
前記一対のソケットは例えば既存の蛍光灯を装着するソケット対であるとされている（段落００２０）。
この照明器具は、従来型の管内に水銀が封入されている蛍光灯に代替させるものとして、有意義であるものの、その配光は上方から下方への直接照明形となり、照明器具の用途の面で限定されることとなる。
【０００６】
これらの照明器具には、交流電圧を直流電圧に変換する電源部が当然の前提としてそれらの照明器具に組み込まれている。例えば特許文献１の照明器具では器具本体を構成するカバーの一端側に電源部としての電源ボックスが当接されている。しかし、そのような電源部を器具本体から分離させたり、器具本体から省くことができればスマートな構成にすることができる。
【先行技術文献】
【特許文献】
【０００７】
【特許文献１】特開２０１３−１０９９３３号公報
【特許文献２】特開２０１２−１９０７４４号公報
【特許文献３】特開２０１３−１４０６８３号公報
【発明の概要】
【発明が解決しようとする課題】
【０００８】
そこで、本願発明は、ＬＥＤプレートを用いた照明器具を開発するにあたり、
１．効率的な放熱を可能にすること、
２．ＬＥＤ光源の光の特性を生かすこと、
３．蛍光灯に代替させる照明装置において、用途の面での多様性を図ること、その他、電源部を本体から分離させたり、本体から省くことができる照明器具を提供することとする。
【課題を解決するための手段】
【０００９】
上記課題を解決するため、長方形状の平面と、その平面の長手方向に沿う両端から徐々に肉厚となり、前記平面の中心線上において最大厚を形成させる曲面を備えた本体と、この本体の平面に取付けられるＬＥＤプレートと、前記曲面に各通孔が臨む横孔からなる第１の紐通部と、前記横孔の各通孔に一方の各通孔が臨むと共に、他方の各通孔が平面に臨む一対の縦孔からなる第２の紐通部を備えたペンダントライトとした（請求項１に記載の発明）。
かかる本願発明においては、本体を覆うカバー等の部品は設けられておらず、ＬＥＤプレートで発生した熱は、本体の周囲の空間に、直接放熱される。また、本体の短手方向の断面形状は、三日月型となっていて、効率的な放熱を可能にしている。
第１の紐通部と第２の紐通部とを備え、天井から吊り下げられるペンダントライトとして構成されているので、ＬＥＤ光源の指向性が強いという特性を生すことができる。
第１の紐通部の各通孔にワイヤー等の紐を架け渡すことで、直接照明形のペンダントライトとなり、第２の紐通部の各通孔にワイヤー等の紐を架け渡すことで、間接照明形のペンダントライトとなり、蛍光灯に代替させる照明装置において、用途の面での多様性を図ることができる。
【００１０】
上記発明において、前記ＬＥＤプレートと前記平面とが略面一となるように、前記平面には前記ＬＥＤプレートを取付けることができる凹部が形成されていることを特徴とする（請求項２に記載の発明）。
前記本体の最大厚を薄くすることができる。
【００１１】
上記発明において、少なくとも１つの前記ＬＥＤプレートから１ユニットが構成され、複数のユニットからペンダントライトが構成される場合には、その任意の１ユニット毎に点灯及び消灯可能に制御されることを特徴とするペンダントライトとする（請求項３に記載の発明）。
また、複数の前記ＬＥＤプレートから１ユニットが構成されている場合には、１ユニット内の任意のＬＥＤプレート毎に点灯及び消灯可能に制御されるようにしてよい。
ペンダントライトの照度の強弱を調整したり、照射の範囲を調整することができる。
【００１２】
上記発明において、前記ＬＥＤプレートは、交流を整流するブリッジ整流回路の配線パターンが形成される基板と、前記配線パターン上に施される補助メッキ及び金メッキを介して電極が接続されると共に、前記配線パターンに、交流電源の極性に対応して点灯可能な範囲の数量で直列に、且つ、交流電源の極性に対応してそれぞれ反転通電されるものを対にして隣接させて、それぞれ接続されるベアチップと、前記電極の接続個所を除き、形成される印刷層と、前記基板の表面に塗布されるコーティング層を備え、前記コーティング層は、対となるベアチップにレンズ状に形成されていることを特徴とする（請求項４に記載の発明）。
本体内において、交流電圧を直流電圧に変換する電源部を不要にすることができる。
【発明の効果】
【００１３】
本願発明によれば、ＬＥＤプレートが発生する熱を効率的に放熱することが可能となる。また光源としてＬＥＤプレートを用いたペンダントライトにしたことから、ＬＥＤ光源の光の特性を生かすことができる。また蛍光灯に代替させる照明器具において、その配光を直接照明形と間接照明形にすることができ用途の多様性を図ることができる。さらに本体内において交流電圧を直流電圧に変換する電源部を不要にすることができる。
【図面の簡単な説明】
【００１４】
【図１】本願発明に係るペンダントライトの斜視図、
【図２】同ペンダントライトの平面図、
【図３】同ペンダントライトの底面図、
【図４】図２に示したＡ−Ａ矢視の断面図、
【図５】図２に示したＢ−Ｂ矢視の断面図、
【図６】図２に示したＣ−Ｃ矢視の断面図、
【図７】図２に示したＤ−Ｄ矢視の断面図、
【図８】図２に示したＥ−Ｅ矢視の断面図、
【図９】同ペンダントライトを間接照明形に用いた場合の斜視図、
【図１０】同ペンダントライトの取付状態を示した説明図、
【図１１】同ペンダントライトの短手方向の端部の部分図、
【図１２】同ペンダントライトを構成するＬＥＤプレートの別例図である。
【発明を実施するための形態】
【００１５】
本願発明に係るペンダントライト１は、図１〜図５に示したように、長方形状の平面２０と、その平面２０の長手方向の両端２１、２１から徐々に肉厚となり、前記平面２０の中心線２２上において最大厚Ｔを形成させる曲面２３を設けた本体２を備えている。
前記本体２は、その平面２０に凹部２４が形成され、その凹部２４にＬＥＤプレート２５が取り付けられるとともに、前記曲面２３にペンダントライト吊下ワイヤーＷ用の通孔３０、３０が形成されている第１の紐通部３と、前記曲面２３に前記ワイヤーＷ用の通孔４０、４０が、前記平面２０に前記ワイヤーＷ用の通孔４１、４１が形成されている第２の紐通部４を備えている。
これらの第１の紐通部３と第２の紐通部４は、ワイヤーＷを介して前記本体２をバランスよく吊下げることができる位置に形成されている。
【００１６】
前記本体２の平面２０の長手方向の両端２１，２１は、図４及び図５に図示されているように、それぞれバリやエッジで怪我をしないように面取りがされつつ、シャープに形成されている。
前記平面２０の短手方向の両端２６，２６は、図１〜図３に図示されているようにラウンド状に、且つ、前記両端２１，２１と同様に面取りがされており、シャープに形成されている。
本体２は長手方向及び短手方向の各両端２１〜２６から徐々に肉厚となり、前記平面２０の中心線２２上において最大厚Ｔとなるもので、その最大厚Ｔは、例えば約８ｍｍである（図５参照）。
【００１７】
本体２は、熱伝導率等が良好な材料として、例えばアルミの形材で構成されており、本体自体が放熱板の役割を果たしている。即ち、前記凹部２４に取付けられたＬＥＤプレート２５から発生される熱は、その前方の空間、その後方の周囲の前記曲面２３から前記長手及び短手の両端２１〜２６にかけて、空間に効率よく放熱されるようになっている。
【００１８】
前記凹部２４は、前記平面２０の長手方向に、且つ、その中心線２２に沿って形成され、その深さは、前記ＬＥＤプレート２５と前記平面２０とを略面一にする（図４参照）ことができるように設けられている。
【００１９】
前記凹部２４の長手方向の一端２１には、図１〜図３及び図７のように前記ＬＥＤプレート２５と電源部（図示せず）間の配線５（図１０）を本体２に導く配線抜孔２７が設けられている。この配線抜孔２７は、前記ペンダントライト１の直接照明形又は間接照明形の配光形態に対応できるように、平面２０と曲面２３間で貫通して形成されている。
前記配線抜孔２７に隣接させて、図７及び図８のように、配線用段部２８が形成され、前記ＬＥＤプレート２５と配線５との半田箇所や、そこから引き出される配線５が配線抜孔２７に導出され易いようにしている。
【００２０】
前記ＬＥＤプレート２５は詳細な図示は省略するが、ＬＥＤチップ（ベアチップ）を電極パターンが描かれた基板に直接配置したモジュールから構成される。具体的には、ＬＥＤプレート２５は、例えば配線パターン及びアンカー部が形成される基板と、前記配線パターン上に施される補助メッキ及び金メッキを介して電極が接続されるＬＥＤチップからなる。前記ＬＥＤチップの周囲には、レンズ状（凸状）のコーティング層が形成されている。
【００２１】
前記ＬＥＤプレート２５のＬＥＤチップの数はこの実施形態においては８４（４×２１）チップであるが、必要に応じて任意のチップ数を単位に構成される。
前記ＬＥＤプレート２５の少なくともの１つにより１ユニットのペンダントライト１が構成される。
１ユニットのペンダントライト１を複数のＬＥＤプレート２５により構成する場合には基盤連結部（図示せず）を介して、長尺状に接続できるようになっている。
また、後述のように、１ユニットのペンダントライト１を組み合わせて、複数のユニットによりコ字状にしたり、ロ字状にすることができる。
かかる場合に、１ユニット毎に点灯及び消灯可能に制御するようにしてもよい。
また、１ユニット内の任意のＬＥＤプレート２５毎に点灯及び消灯可能に制御するようにしてよい。例えば、１ユニットに配置された全てのＬＥＤプレート２５を点灯及び消灯可能にする回路及びその回路のスチッチを設け、また互い違いＬＥＤプレート２５を点灯及び消灯可能にする回路及びの回路のスチッチを設けてもよい。
【００２２】
前記第１の紐通部３は、通孔３０、３０を前記曲面２３に臨ませる横孔３１からなるもので、かかる横孔３１は前記平面２０に対して平行方向に、且つ、前記本体２の長手方向の両端２１，２１の方向に、前記本体２を貫通して形成されている。
前記第２の紐通部４は、前記横孔３１の各通孔３０、３０に一方の曲面２３側の各通孔４０、４０を臨ませると共に、他方の各通孔４１、４１を平面２０側に臨ませる一対の縦孔４２、４２からなるものである。
図６に図示されているように、一対の縦孔４２，４２は前記平面２０と前記曲面２３間で前記本体２を貫通し、前記凹部２４の左右に隣接させて、前記平面２０に対して鉛直方向に形成されている。
これらの第１の紐通部３と第２の紐通部４は、ワイヤーＷを介して前記本体２をバランスよく吊下げることができる位置の２か所に配置されている。
【００２３】
以上のように構成されるペンダントライト１は、前記第１の紐通部３の曲面２３側の一方の通孔３０から前記横孔３１を経由して他方の通孔３０にワイヤーＷを通し、天井等に取り付けた吊り金具６，６により、昇降自在に取付けて、上方から下方への直接照明形の配光とすることができる（図１及び図１０参照）。
また、前記第２の紐通部４の平面２０側の一方の通孔４１から縦孔４２、通孔４０及び前記横孔３１を経由して他方の通孔４０、縦孔４２及び通孔４１にワイヤーＷを通し、天井等に取り付けた吊り金具６，６により、昇降自在に取付けて、下方から上方への間接照明形の配光とすることができる（図９及び図１０参照）。
【００２４】
前記ＬＥＤプレート２５からの配線５は、図１０のように、前記配線抜孔２７から天井等に導かれ、図示しない電源部に接続されており、その電源部において交流の商用電源が直流に変換されて供給される。
【００２５】
図１１のように、前記本体２に対して、平面２０の短手方向の端部２６，２６を着脱自在に形成してもよく、この場合には、その端部２６，２６を各種のエンドキャップ７とすることができる。例えばエンドキャップ７をＬ字状に形成することで、複数の本体２と結合させて、コ字形状、ロ字形状等の照明装置に構成することができる。
【００２６】
以上の構成のペンダントライト１の作用効果は、次の通りである。
（１）本体２を覆うカバー等の部品は設けられておらず、ＬＥＤプレート２５で発生した熱は、本体２の周囲の空間に、直接放熱させることができる。また、本体２の短手方向の断面形状は三日月型となっていて、効率的な放熱を可能にしている。
（２）第１の紐通部３と第２の紐通部４とを備え、天井から吊り下げられるペンダントライトとして構成されているので、ＬＥＤ光源の光の指向性が強いという特性を生すことができる。
（３）第１の紐通部３と第２の紐通部４の曲面２３側の各通孔３０、４０によりワイヤーＷ等の紐を架け渡すことで、直接照明形のペンダントライト１となり、第１の紐通部３と第２の紐通部４の平面２０側の各通孔３０、４０によりワイヤーＷ等の紐を架け渡すことで、間接照明形のペンダントライト１となり、蛍光灯に代替させる照明装置において、用途の面での多様性を図ることができる。
（４）前記凹部２４の深さは、前記ＬＥＤプレート２５と前記平面２０とを略面一にする（図４参照）ことができるように設けられており、本体２の最大厚Ｔは約８ｍｍとなっているので、薄いペンダントライト１となっている。
（５）１ユニット毎に点灯及び消灯可能に制御されているようにしてもよいし、また１ユニット内の任意のＬＥＤプレート２５毎に点灯及び消灯可能に制御されるようにしてよく、ペンダントライト１の照度の強弱を調整したり、照射の範囲を調整することができる。
【００２７】
上記ＬＥＤプレート２５として、図１２（イ）に示したＬＥＤプレート２９を用いてもよい。
ＬＥＤプレート２９は、基板にアンカー部としてのピンホールを形成させると共に、ブリッジ整流回路ＢＣの配線パターン２００にエッチングされる金属箔と、前記配線パターン２００に、交流電源ＡＣの極性に対応して点灯可能な範囲の数量で、３２０ａ〜３２０ｏ，３３０ａ〜３３０ｏ及び３４０ａ〜３４０ｏ，３５０ａ〜３５０ｏで図示するように、直列に、且つ、交流電源ＡＣの極性に対応してそれぞれ反転通電されるものを対にして隣接させて、それぞれの電極が接続される発光ダイオードのベアチップ３００を備え、且つ、前記基板の表面に塗布されるコーティング層は、対となるベアチップにレンズ状に形成されている（図１２（ロ）参照）。
【００２８】
以上のように構成されたＬＥＤプレート２９の動作は次のようである。
交流電源ＡＣの極性がＡＣ１（＋）、ＡＣ２（―）の場合、入力端２００から第２アーム２０５のベアチップ（３３０ａ〜３３０ｏ）、電流制限抵抗Ｒ及び第４アーム２０７のベアチップ（３５０ａ〜３５０ｏ）に電流を通す経路が形成される。よって、これらの各ベアチップは発光するが、第１アーム２０４の各ベアチップ（３２０ａ〜３２０ｏ）及び第３アーム２０６のベアチップ（３４ａ０〜３４０ｏ）はオフとなる。
他方、交流電源ＡＣの極性がＡＣ１（―）、ＡＣ２（＋）の場合、入力端２０１から第３アーム２０６のベアチップ（３４０ａ〜３４０ｏ）、電流制限抵抗Ｒ及び第１アーム２０４のベアチップ（３２０ａ〜３２０ｏ）を通す経路が形成される。
よって、これらの各ベアチップは発光するが、第２アーム２０５の各ベアチップ（３３０ａ〜３３０ｏ）及び第４アーム２０７のベアチップ（３５０ａ〜３５０ｏ）はオフとなる。
このとき、各ベアチップは、隣接して対となっているので、対となるベアチップ、例えばベアチップ３２０ａと３５０ａの場合のように、ベアチップ３２０ａの発光がベアチップ３５ａ０の消灯を補い、またベアチップ３５０ａの発光がベアチップ３２０ａの消灯を補う関係が形成される。
即ち、図１２（ハ）は、交流電源の周波数の１サイクルの波形を示したもので、上記構成により対となるベアチップにおいては合成されることを示している。例えば交流電源が、５０サイクルの周波数の場合、対となるベアチップにおいては、その倍の１００サイクルの周波数で点灯されることとなり、恰も１つの光源が形成され、各ベアチップのオン／オフが認識し難くなっており、連続発光が可能となる。
よって、このＬＥＤプレート２９を用いることにより、ペンダントライトの効果として、電源部を省くことができる。
【００２９】
本発明は以上説明した実施形態に限定されるものではなく、多くの変形が本発明の技術的思想内で当分野において、通常の知識を有する者により可能である。
【符号の説明】
【００３０】
１  ペンダントライト
２  本体
２０  平面                              ２１、２１  長手方向の両端
２２  中心線                            ２３  曲面
２４  凹部                              ２５  ＬＥＤプレート
２６、２６  短手方向の両端
２７  配線抜孔                          ２８  配線用段部
３  第１の紐通部                        ３０  通孔
３１  横孔
４  第２の紐通部
４０  ４１  通孔                        ４２、４２  一対の縦孔
５  配線
６、６  吊り金具
７  エンドキャップ
Ｔ  最大厚
Ｗ  ワイヤー
【図１】
0006433845.tif 000002
【図２】
0006433845.tif 000003
【図３】
0006433845.tif 000004
【図４】
0006433845.tif 000005
【図５】
0006433845.tif 000006
【図６】
0006433845.tif 000007
【図７】
0006433845.tif 000008
【図８】
0006433845.tif 000009
【図９】
0006433845.tif 000010
【図１０】
0006433845.tif 000011
【図１１】
0006433845.tif 000012
【図１２】
0006433845.tif 000013